(57)【特許請求の範囲】
【請求項１】
アプリケーションによって生成されたドキュメントを処理するドキュメント処理方法であって、
ユーザインタフェースを介して、印刷処理するドキュメントのページの範囲を入力する入力工程と、
前記入力工程により入力されたページの範囲に対応するページのページ数が、予め設定されたページ数を超えるか否かを識別する識別工程と、
前記ドキュメントの複数ページの内容を１印刷ページ内に配置する指示を受け付けた後、前記入力工程により入力されたページの範囲に対応するページのページ数が、予め設定されたページ数を超えないと前記識別工程で識別された場合に、前記入力工程により入力されたページの範囲の印刷処理に基づくプレビュー及び該印刷処理に基づく印刷用紙への印刷を実行可能とする第１の処理工程と、
前記ドキュメントの複数ページの内容を１印刷ページ内に配置する指示を受け付けた後、前記入力工程により入力されたページの範囲に対応するページのページ数が、予め設定されたページ数を超えると前記識別工程で識別された場合に、前記入力工程により入力されたページの範囲の印刷処理に基づくプレビュー及び該印刷処理に基づく印刷用紙への印刷を前記予め設定されたページ数の範囲内で実行可能とする第２の処理工程と、
を有することを特徴とするドキュメント処理方法。
【請求項２】
前記ドキュメントは、コンピュータネットワークを介して取得される１以上の特定ドキュメントにより構成され、
前記１以上の特定ドキュメントの各々は、前記コンピュータネットワークにおける位置を示すロケーション識別子により識別され、
前記ページの範囲は、前記ドキュメントを構成する前記１以上の特定ドキュメントのロケーション識別子により指定されることを特徴とする請求項１記載のドキュメント処理方法。
【請求項３】
アプリケーションによって生成されたドキュメントを処理するドキュメント処理装置であって、
ユーザインタフェースを介して、印刷処理するドキュメントのページの範囲を入力する入力手段と、
前記入力手段により入力されたページの範囲に対応するページのページ数が、予め設定されたページ数を超えるか否かを識別する識別手段と、
前記ドキュメントの複数ページの内容を１印刷ページ内に配置する指示を受け付けた後、前記入力手段により入力されたページの範囲に対応するページのページ数が、予め設定されたページ数を超えないと前記識別手段で識別された場合に、前記入力手段により入力されたページの範囲の印刷処理に基づくプレビュー及び該印刷処理に基づく印刷用紙への印刷を実行可能とする第１の処理手段と、
前記ドキュメントの複数ページの内容を１印刷ページ内に配置する指示を受け付けた後、前記入力手段により入力されたページの範囲に対応するページのページ数が、予め設定されたページ数を超えると前記識別手段で識別された場合に、前記入力手段により入力されたページの範囲の印刷処理に基づくプレビュー及び該印刷処理に基づく印刷用紙への印刷を前記予め設定されたページ数の範囲内で実行可能とする第２の処理手段と、
を有することを特徴とするドキュメント処理装置。
【請求項４】
前記ドキュメントは、コンピュータネットワークを介して取得される１以上の特定ドキュメントにより構成され、
前記１以上の特定ドキュメントの各々は、前記コンピュータネットワークにおける位置を示すロケーション識別子により識別され、
前記ページの範囲は、前記ドキュメントを構成する前記１以上の特定ドキュメントのロケーション識別子により指定されることを特徴とする請求項３記載のドキュメント処理装置。
【請求項５】
アプリケーションによって生成されたドキュメントをコンピュータに処理させるためのプログラムを記録したコンピュータ読み取り可能な記録媒体であって、前記プログラムは、コンピュータに、
ユーザインタフェースを介して、印刷処理するドキュメントのページの範囲を入力する入力工程と、
前記入力工程により入力されたページの範囲に対応するページのページ数が、予め設定されたページ数を超えるか否かを識別する識別工程と、
前記ドキュメントの複数ページの内容を１印刷ページ内に配置する指示を受け付けた後、前記入力工程により入力されたページの範囲に対応するページのページ数が、予め設定されたページ数を超えないと前記識別工程で識別された場合に、前記入力工程により入力されたページの範囲の印刷処理に基づくプレビュー及び該印刷処理に基づく印刷用紙への印刷を実行可能とする第１の処理工程と、
前記ドキュメントの複数ページの内容を１印刷ページ内に配置する指示を受け付けた後、前記入力工程により入力されたページの範囲に対応するページのページ数が、予め設定されたページ数を超えると前記識別工程で識別された場合に、前記入力工程により入力されたページの範囲の印刷処理に基づくプレビュー及び該印刷処理に基づく印刷用紙への印刷を前記予め設定されたページ数の範囲内で実行可能とする第２の処理工程と、
を実行させることを特徴とする記録媒体。
【発明の詳細な説明】
【０００１】
【発明の属する分野】
本発明はドキュメント処理方法及びその装置、及び記憶媒体に関し、例えば、コンピュータにおけるプリント機能を制御するドキュメント処理方法及びその装置、及び記憶媒体に関する。
【０００２】
【従来の技術】
現在のＷＷＷ（World Wide Web）環境下におけるインターネットユーザは、かつてないほどに広範囲かつ高速な通信技術を駆使している。
【０００３】
インターネット技術は、情報交換に関してさらに発展する可能性を備えている。多くのソフトウェアプロバイダは、ユーザがこの通信革命に参加できるように、例えばフリーウェアおよびシェアウェアと呼ばれるソフトウェアのデモンストレーションバージョン（以下、デモ版）を、オンライン上で無料提供している。ユーザは、提供元のホームページをダイヤルしてソフトウェアのデモ版にアクセスし、試用してみることが可能である。更には、該デモ版をユーザのパーソナルコンピュータにダウンロードすることも可能である。
【０００４】
【発明が解決しようとする課題】
上述したフリーウェアとシェアウェアによるデモ版のオンライン提供は、市場にとって魅力ある形態である。しかしながら、この方法によってソフトウェアを提供する場合の課題として、多くのユーザがデモ版を不当に利用し続け、実際には該ソフトウェアの製品版（フルバージョン）を購入しないことが挙げられる。これは時には、著作権問題ともなってしまう。従って、ソフトウェアプロバイダの多くは、ソフトウェアのデモ版をオンライン提供することに対して消極的になってしまう。
【０００５】
本発明は、上述した課題を実質的に解決又は改善するために成されたものであり、オンライン提供したソフトウェアにおけるプリント機能を制限することにより、該デモ版が不当に使用され続けることを回避することが可能なドキュメント処理方法及びその装置、及び記憶媒体を提供することを目的とする。
【０００６】
【課題を解決するための手段】
上記目的を達成するための一手法として、本発明のドキュメント処理方法は以下の工程を備える。
【０００７】
即ち、アプリケーションによって生成されたドキュメントを処理するドキュメント処理方法であって、ユーザインタフェースを介して、印刷処理するドキュメントのページの範囲を入力する入力工程と、前記入力工程により入力されたページの範囲に対応するページのページ数が、予め設定されたページ数を超えるか否かを識別する識別工程と、前記ドキュメントの複数ページの内容を１印刷ページ内に配置する指示を受け付けた後、前記入力工程により入力されたページの範囲に対応するページのページ数が、予め設定されたページ数を超えないと前記識別工程で識別された場合に、前記入力工程により入力されたページの範囲の印刷処理に基づくプレビュー及び該印刷処理に基づく印刷用紙への印刷を実行可能とする第１の処理工程と、前記ドキュメントの複数ページの内容を１印刷ページ内に配置する指示を受け付けた後、前記入力工程により入力されたページの範囲に対応するページのページ数が、予め設定されたページ数を超えると前記識別工程で識別された場合に、前記入力工程により入力されたページの範囲の印刷処理に基づくプレビュー及び該印刷処理に基づく印刷用紙への印刷を前記予め設定されたページ数の範囲内で実行可能とする第２の処理工程と、を有することを特徴とする。
【０００８】
尚、本発明の他の構成については、以降の説明から明らかになるであろう。
【０００９】
【発明の実施の形態】
以下、本発明に係る好適な実施形態について、図面を参照して詳細に説明する。
【００１０】
＜概要説明＞
インターネットにアクセスしてＷＷＷを利用するために、マイクロソフト・インターネット・エクスプローラ（マイクロソフト社）やネットスケープ・ナビゲータ（ネットスケープ社）等の専用のブラウジングソフトウェアが良く用いられる。ユーザは、ウェブサイトまたはその他のロケーションへ入ってデータやプログラム等を操作することにより、様々なコンピュータ機能を利用することができる。この様なコンピュータ機能としては、データ印刷、コピー、ソフトウェアの実行、オーディオの聴取やビデオデータの受信、等がある。これらの各機能は、フリーウェアまたはシェアウェアとして、またはそれらを実行した結果として実現される。
【００１１】
ユーザがウェブの利用経路に痕跡を残してそれを追跡することができるように、出願人は「ウェブレコード」という商標名で販売された製品を開発した。この製品については、現在、米国特許出願番号０８／９０３，７４３（１９９７年７月３１日出願）として出願されている。「ウェブレコード」は、ブラウジングソフトウェアのバックグラウンドモードにおいて動作し、各種ウェブサイトやユーザがウェブ上で得たドキュメント等を、プリント可能なドキュメントとして自動的かつ明瞭に生成する。
【００１２】
本発明は、「ウェブレコード」に更なる機能を付加し、「ウェブレコード」の販路を拡大するために開発された。しかしながら本発明は、「ウェブレコード」または他の同様な製品への適用に限定されず、例えば、当業者がブラウジングソフトウェアにおいて実行することはもとより、広く適用可能である。
【００１３】
図１は、本実施形態が適用されるコンピュータシステムとネットワークの構成を示すブロック図である。本発明は、ウェブサイト３４，３６へのリンク３３を有する通信ネットワーク３８へ接続可能な、汎用コンピュータシステム５において実行される。
【００１４】
コンピュータシステム５は、コンピュータモジュール（以下、コンピュータ）１０、キーボード１２とマウス１３などの入力装置、プリンタ３０とビデオディスプレイ装置３２から成る出力装置から構成されている。変調−復調（モデム）トランシーバ装置４４は、コンピュータ１０が通信ネットワーク３８を介して外部のコンピュータシステムとのデータ送受信を行なうために使用され、これらの外部コンピュータシステムとしてはウェブサイト３４と３６も含まれる。
【００１５】
コンピュータ１０は、少なくとも一つのプロセッサ１４、半導体ランダムアクセスメモリ（ＲＡＭ）と読み取り専用メモリ（ＲＯＭ）等により形成された記憶装置１８、ビデオインタフェース４０、キーボード１２及びマウス１３が接続される入力／出力インタフェース４２、およびモデム４４が接続される通信インタフェース４２、等を含む多数の構成要素を有する。また、記憶装置２２が配置され、ハードディスクドライブ２４とフロッピーディスクドライブ２６を備えている。またＣＤーＲＯＭドライブ２０が不揮発性メモリとして備えられている。
【００１６】
コンピュータ１０の各構成要素はバス２８によって相互接続され、一般のコンピュータシステムにおける従来モードと同様の方法により、互いの通信を行なう。
【００１７】
この様なコンピュータシステム５の例としては、ＩＢＭ社製のＰＣ／ＡＴ互換機やその類似機、サン社製のスパークセイション、およびアップル社製のマッキントッシュ等がある。さらに、ウェブサイト３４と３６は、これらコンピュータシステムにおいても実行可能である。
【００１８】
インターネットまたはウェブブラウジングのセッションの最中に、コンピュータシステム５のユーザは、ハードディスクドライブ２４に格納されたブラウジングソフトウェアを動作し、モデム４４を介して任意のウェブサイトに接続することができる。
【００１９】
通信ネットワーク３８を介してアクセス可能なロケーションは、周知のＵＲＬ（Uniform Resource Locater）の使用によりに個々にアドレッシングすることができる。従ってコンピュータシステム５のユーザは、ＵＲＬによって特定のウェブサイトに直接アクセスすることができる。あるいは、ウェブサイトドキュメント等（サーチエンジンを含む）においてはハイパーテキストを備えることができ、このハイパーテキストが選択されると、該ハイパーテキストに関連付けられたＵＲＬにより認識されるロケーションへのダイレクトリンクが形成される。
【００２０】
図２は、２つのインターネットウェブサイト３４，３６とそれらに関連付けられたＵＲＬを示すブロック図である。コンピュータ１０は、モデム４４と通信ネットワーク３８を介して、ウェブサイト３４，３６にアクセスすることができる。ウェブサイト３４，３６は、直接及び間接のインターネット接続、および様々なブラウザによりアクセスされる。図２から明らかなように、ウェブサイト３４は情報ロケーション（information location）４６，４８および５０へアクセスし、各ロケーションは、図示されるように独自のＵＲＬを有している。同様にウェブサイト３６は、各ＵＲＬを有する３ヶ所の情報ロケーション５２，５４，および５６をアクセスする。
【００２１】
各種ＵＲＬを介してアクセスされた情報は、例えば、テキスト、画像、グラフィック、プログラム、オーディオデータおよびビデオデータ、等のデータ列のあらゆる組み合わせから成ることは言うまでもない。さらに図２に示すように、ロケーション４７は、ロケーション４６またはロケーション４８を介したアクセスが可能であり、かつ独自のＵＲＬ（ＵＲＬ＃９）を有し、かつアプリケーションプログラムを有していることが分かる。以下、該アプリケーションプログラムを有するロケーション４７を、単にアプリケーション４７と称する。
【００２２】
本実施形態において、「ウェブレコード」のデモ版はアプリケーション４７として公に使用され、ウェブサイトＮｏ．１に入ったユーザによりアクセスされる。そしてアプリケーション４７がユーザのコンピュータシステム５へダウンロードされることにより、「ウェブレコード」のデモンストレーションが可能となる。
【００２３】
「ウェブレコード」のデモ版ユーザは、そのプログラムを自由に使用して、プリンタ３０に適した電子ドキュメントを生成することができる。一般に電子ドキュメントは、インターネット及びＷＷＷの様々なロケーションより得られ、あるブラウジングセッションにより生成された、複数の部分により構成される。
【００２４】
しかしながら本実施形態においては、アプリケーションのデモ版による試用及び評価を行なう際に、実質的にアプリケーションの製品版が実行されてしまうことを避けるために、ユーザによる電子ドキュメントのプリントを制限することを特徴とする。
【００２５】
例えば、「ウェブレコード」により生成された電子ドキュメントがプリント可能な１５ページによって構成されていても、ユーザによる一回のプリント要求につき、３ページのみのプリントを可能とする。従って、１５ページ全てを印刷したい場合には、ユーザは全ドキュメントを印刷するために５回のプリント要求を行わなねばならない。
【００２６】
また他の例として、それぞれのＵＲＬによって定義された多数のウェブロケーションから得られた要素によって電子ドキュメントが構成されているのであれば、そのプリントを所定数のＵＲＬから得られた部分のみに限定する。
【００２７】
このように本実施形態によれば、ユーザは試用したソフトウェアの性能を把握し、かつ、該ソフトウェアによって生成したドキュメントのサンプルをプリントすることができるが、アプリケーションの制限により、該ソフトウェアを全く自由に使用することはできない。
【００２８】
＜プリント制御の詳細例１＞
図３は、本実施形態における一連のプリント制御処理の一例（ステップＳ９０）を示すフローチャートである。ステップＳ９２により処理が開始され、続くステップＳ９４においてプリント処理が指示されているか否かを判定する。プリント処理が指示されていなければ、制御は非プリント処理を実行可能とするステップＳ９６へ進み、ステップＳ９８で終了する。この様な非プリント処理の例としては、”プリントプレビュー”がある。
【００２９】
プリント処理が指示されていればステップＳ１００に進み、電子ドキュメントにおいてプリント対象として設定された特定ページのページ番号を認識する。尚、本実施形態においても、一般のプリントツールと同様に、ユーザはプリント対象である複数ページのドキュメントから、上述したような特定ページを設定することができる。ここでは、ステップＳ１００においてユーザがページ番号”ａ”からページ番号”ｂ”のプリントを設定したとする。
【００３０】
次にステップＳ１３０に進み、ユーザはプリントの際の縮小率を設定することができる。この設定により例えば、上記特定ページの全てを、Ａ４サイズの１ページ内にプリントすることができる。
【００３１】
次のステップＳ１３２においてユーザは必要であれば、実際にプリントが実行されるのに先立って、プリントされるページをスクリーン上で確認するために”プリントプレビュー”機能を設定することができる。
【００３２】
次に、制御はステップＳ１０２へ進み、実際に設定されたページ数が所定数以内であるか否かを判定する。本実施形態においては、ページ番号”ｂ”をページ番号”ａ”から差し引き（ｂ−ａ）、これが所定ページ数”ｘ”よりも小さいか否かを判定する。尚、この”ｘ”の値は任意であるが、本実施形態においては３程度が好ましい。
【００３３】
ステップＳ１０２においてｂ−ａがｘよりも小さければ、制御はステップＳ１０４へ進んでページ番号”ａ”からページ番号”ｂ”のプリントを可能とし、即ち、ユーザの要求通りの処理が行われる。
【００３４】
ステップＳ１０２においてｂ−ａがｘ以上であれば、制御はステップＳ１０６へ進み、ページ”ａ”から所定ページ数のみがプリントされる。例えば、ページ”ａ”から”ａ＋ｘ−１”のプリントを可能とし、即ち、プリントされる全ページ数が”ｘ”枚に抑制される。このようにステップＳ１０６においては、プリントされる全ページ数を任意の値”ｘ”に基づいて算出される。
【００３５】
ステップＳ１０４とＳ１０６の後、制御は終了ステップＳ１０８へ進む。
【００３６】
尚、ステップＳ１０４とＳ１０６のいずれにおいても、ステップＳ１３２でプリントプレビュー機能が選択されていれば、プレビューが行われる。
【００３７】
このように本例によれば、所定ページ数のみがプリントされる。
【００３８】
＜プリント制御の詳細例２＞
図４は、本実施形態におけるプリント制御処理の他の例（ステップＳ１２０）を示すフローチャートである。同図において、上述した図３と同様の処理については同一ステップ番号を付し、説明を省略する。
【００３９】
ステップＳ９４においてプリント処理が選択されていればステップＳ１２２に進み、マルチＵＲＬフォーマットからなるドキュメントにおいて、プリント対象である特定のＵＲＬを設定するように、ユーザを促す。本実施形態において、これらはＵＲＬp乃至ＵＲＬqとして認識される。
【００４０】
次にステップＳ１２４において、ユーザによりプリント対象として設定されたＵＲＬの数は、更に任意の値”ｘ”に基づいて判定される。即ち、ＵＲＬ数が”ｘ”以下であれば制御はステップＳ１２６へ進み、ステップ１２２においてユーザにより設定された全ＵＲＬ（ＵＲＬpからＵＲＬq）をプリントする。しかしながら、ＵＲＬ数が”ｘ”を超えるのであれば、制御はステップＳ１２８へ進んで”ＵＲＬp”から”ＵＲＬp＋ｘ−１”へのプリントを可能とし、これにより、プリントされる全ＵＲＬ数が”ｘ”個に抑制される。
【００４１】
図４に示す例によれば、電子ドキュメントのプリントは、該ドキュメントの全ページ数および各ＵＲＬが占めるページ数とは無関係に制御される。
【００４２】
本例を例えば「ウェブレコード」に対して適用することにより、多数のＵＲＬから得られた情報は、１ページのドキュメント内にプリントされる。図４に示す例によれば、所定数（例えば３）のＵＲＬから得られたデータのみが、プリントされる。
【００４３】
このように本例によれば、所定数のＵＲＬからの情報のみがプリントされる。
＜プリント制御の詳細例３＞
本実施形態のプリント制御は更に、上述した図３及び図４に示した処理を組み合わせることも可能である。
【００４４】
図４のステップＳ１２６とＳ１２８において、ユーザにより設定されたＵＲＬのそれぞれがプリント可能である場合に、制御は図３のステップＳ１００へ進み、各ＵＲＬ毎に、プリント対象である特定ページ番号を認識する。
【００４５】
例えば、ＵＲＬpから得られたデータが図４のステップＳ１２６においてプリントされる場合、図３のステップＳ１００において、ユーザはＵＲＬpのページ番号”ａ”から”ｂ”をプリント対象として設定する。次に制御はステップＳ１０２へ進み、設定されたページ数が所定数以内であるか否かを判定する。該判定結果に基づいて、制御はステップＳ１０４またはＳ１０６のいずれかへ進んだ後に図４のステップＳ１２６へ戻り、次のＵＲＬによるデータをプリントする。このプロセスは、最後にＵＲＬｑのデータがプリントされ、制御が図４のステップＳ１０８へ進むことにより、完了する。
【００４６】
このように本例によれば、所定数のＵＲＬについて、それぞれの所定ページ数のみがプリントされる。
【００４７】
＜本実施形態による効果＞
以上説明したように本実施形態によれば、プリント制御の各詳細例で示したように、ユーザによる電子ドキュメントのプリントを制限する。これにより、実質的にアプリケーションの製品版が使用されてしまうことを避けつつ、アプリケーションのデモ版の試用及び評価を行なうことができる。
【００４８】
上述したように本実施形態は、従来のソフトウェアのデモ版に対して多くの利点を備えている。従来のデモ版の多くは、該ソフトウェアによる作品のプリントを可能とするが、この際に例えば、印刷対象となる画像の背景に”ｄｅｍｏ”という語を重ねてプリントする等、何らかの不明瞭化が施されることにより、該プリントされたドキュメントの有用性が損われてしまう。そこで、本実施形態のデモ版においてはユーザによる所定ページ数または所定ＵＲＬ数のみのプリントを可能とすることにより、ユーザは該デモ版を利用した後に、その製品版を購入するか否かを判断することができる。但し、上述したようなプリント制限によって、該デモ版を多様な形態で自由に使用することはできないため、ユーザは該ソフトウェアの製品版の購入を検討せざるを得なくなる。
【００４９】
尚、本発明は上述した実施形態に限定されるものではなく、本発明の適用範囲を逸脱することなくその変形が可能であることは、本技術に精通した当業者であれば、容易に理解される。
【００５０】
【他の実施形態】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００５１】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム(OS)などが実際の処理の一部または全部を行い、その処理によって前述した実施形態の機能が実現される場合も含まれることは言うまでもない。
【００５２】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施形態の機能が実現される場合も含まれることは言うまでもない。
【００５３】
【発明の効果】
以上説明したように本発明によれば、オンライン提供したソフトウェアにおけるプリント機能を制限することにより、該デモ版が不当に使用され続けることを回避することが可能となる。
【図面の簡単な説明】
【図１】本発明の好適な実施形態が実行されるコンピュータシステムとネットワークの構成を示すブロック図、
【図２】二つのＷＷＷサイトの詳細構成を示すブロック図、
【図３】本実施形態におけるプリント管理システムの動作を示すフローチャート、
【図４】他の実施形態におけるプリント管理システムの動作を示すフローチャート、である。
【符号の説明】
５  コンピュータシステム
１０  コンピュータモジュール
１２  キーボード
１３  マウス
１４  プロセッサ
１６  入力／出力インタフェース
１８  メモリ
２０  ＣＤ−ＲＯＭドライブ
２２  記憶装置
２４  ハードディスクドライブ
２６  フロッピーディスクドライブ
２８  バス
３０  プリンタ
３２  ビデオディスプレイ装置
３３  リンク
３４，３６  インターネットサービスサイト
３８  通信ネットワーク
４０  ビデオインタフェース
４２  通信インタフェース
４６，４８，５０  情報サイト
５２，５４，５６  情報サイト
４７  アプリケーションプログラム
【図１】
0004289724.tif 000002
【図２】
0004289724.tif 000003
【図３】
0004289724.tif 000004
【図４】
0004289724.tif 000005